(57)【特許請求の範囲】
【請求項１】
断面コ字形の収納凹部と、この収納凹部の開口部両端に延設されて互いに離反するように形成されたフランジ部及びフランジ部の端縁に付加形成された補強部とを有する一対のハウジング半体を前記フランジ部相互を接合させ、対向する収納凹部によって形成された導体収容部内に絶縁被覆導体を収容すると共に、互いに接合された前記フランジ部相互を結合するバスダクトハウジングにおいて、
前記補強部は、閉断面形状を有するように構成されたことを特徴とするバスダクトハウジング。
【請求項２】
前記補強部は、
前記接合されたフランジ部から互いに離反するように外方に延設された第１補強部と、該第１補強部の外側端から前記フランジ部と略平行に延設された第２補強部と、該第２補強部の端部から互いに近接するよう延設された第３補強部とから構成され、
前記補強部の閉断面形状は、
前記第３補強部の端部相互を連結して係合部を形成することにより構成したことを特徴とする請求項１に記載のバスダクトハウジング。
【請求項３】
前記係合部は、
一方の前記第３補強部の端部に他方の第３補強部の端部の板厚に相応する階段状の段差部を設け、前記他方の第３補強部の端部と前記段差部との係合により構成されたことを特徴とする請求項２に記載のバスダクトハウジング。
【請求項４】
一方の前記補強部の第１補強部の内側端部に係合凹部を設け、他方の前記補強部の第１補強部の内側端部に前記接合状態で前記係合凹部に嵌合する係合突起を設けて係合部を形成したことを特徴とする請求項２又は３の何れかに記載のバスダクトハウジング。
【発明の詳細な説明】
【０００１】
【発明の属する技術分野】
本発明はバスダクトハウジング、特に絶縁被覆導体を収容する収納凹部を有する一対のハウジング半体を互いに対向せしめてなる二分割体のバスダクトハウジングに関する。
【０００２】
【従来の技術】
バスダクトは、一般に平板状の電気導体を電気絶縁層で被覆した絶縁被覆導体をバスダクトハウジング内に収容するよう構成されている。
【０００３】
このように構成されるバスダクトは、複数のケーブルを束ねて配線する配線システムに比べて火災等の発生防止や漏洩磁束防止等に極めて優れた機能を有することから工場施設やビル等における主電力供給ライン等に広く用いられている。
【０００４】
このバスダクトは、例えば実公昭５８−９４７２号公報に開示され、かつ図７に示すように断面コ字形の収納凹部１０１ａと、この収納凹部１０１ａの開口部両端に延設されたフランジ部１０１ｂ及びフランジ部１０１ｂの外方端縁に沿って付設形成された補強部１０１ｃとからなる一対のハウジング半体１０１を有している。
【０００５】
そしてこれら一対のハウジング半体１０１を前記収納凹部１０１ａの開口部側を互いに対向せしめ互いのフランジ部１０１ｂを接合し、互いに接合するフランジ部１０１ｂに穿設されたボルト挿通孔１０１ｄに挿入するボルト１０２によって一体結合してバスダクトハウジング１０３を形成すると共に、対向する収納凹部１０１ａによって形成された導体収納部１０３Ａ内に電気導体１０４ａを電気絶縁層１０４ｂで被覆した絶縁被覆導体１０４を複数積層して収容している。
【０００６】
しかし、このように構成されるバスダクトにおいて絶縁被覆導体は塵埃等から保護する必要があり、このため実開昭５０−８５７９９号公報や実公昭５１−２３１７号公報に開示されるように対向するハウジング半体の接合部に水膨張発泡性物質或いは間隔調整部材を介在せしめることにより導体収納部内への塵埃等の侵入を防止する方策がある。
【０００７】
【発明が解決しようとする課題】
上記実開昭５０−８５７９９号公報或いは実開昭５１−２３１７号公報に開示される先行技術にあっては、互いに対向するハウジング半体の接合部に水膨張発泡物質や間隔調整部材を介在せしめることから導体収納部内への塵埃等の侵入が防止され、絶縁被覆導体の保護が得られる。
【０００８】
しかしバスダクトハウジングが比較的長尺でかつ重量が大であることから接合部に水膨張発泡物質や間隔調整部材を介在せしめるバスダクトの組立作業は煩雑になり作業性に劣り製造コストの増大を招き、かつ対向するハウジング半体が互いにボルトにより結合するのみであることからバスダクトハウジングの十分な機械的強度が得られず、特に補強部に荷重や衝撃等の外力が作用した場合バスダクトの変形を招く虞れがある等の不具合がある。
【０００９】
本発明は、上記事情に鑑みてなされたものであり、その目的は、上記絶縁被覆導体の噛み込みによる絶縁被覆導体の損傷を防止し、十分な強度及び塵埃等の侵入防止が確保でき、しかも製造コストの低減が可能なバスダクトハウジングを提供することにある。
【００１０】
【課題を解決するための手段】
上記目的を達成する請求項１に係るバスダクトハウジングは、
断面コ字形の収納凹部と、この収納凹部の開口部両端に延設されて互いに離反するように形成されたフランジ部及びフランジ部の端縁に付加形成された補強部とを有する一対のハウジング半体を前記フランジ部相互を接合させ、対向する収納凹部によって形成された導体収容部内に絶縁被覆導体を収容すると共に、互いに接合された前記フランジ部相互を結合するバスダクトハウジングにおいて、前記補強部が、閉断面形状を有するように構成されている。
【００１１】
このように補強部が閉断面形状とされたことにより、バスダクトハウジングの機械的強度が確保され、更に、導体収容部内への塵埃等の侵入も防止される。
【００１２】
請求項２に係るバスダクトハウジングは、
前記補強部が、前記接合されたフランジ部から互いに離反するように外方に延設された第１補強部と、該第１補強部の外側端から前記フランジ部と略平行に延設された第２補強部と、該第２補強部の端部から互いに近接するよう延設された第３補強部とから構成され、補強部の閉断面形状が、前記第３補強部の端部を相互に連結して係合部を形成することにより構成されている。
【００１３】
この構成によれば、上記請求項１のバスダクトハウジングと同様の作用に加え、係合部の存在により、対向するハウジング半体の相対位置決めが自動的になされて組立作業の効率化が得られ、かつ接合する補強部の一体係合に伴ってバスダクトハウジングの機械的強度の向上が得られる。
【００１４】
請求項３に係るバスダクトハウジングは、
前記係合部が、一方の前記第３補強部の端部に他方の第３補強部の端部の板厚に相応する階段状の段差部を設け、前記他方の第３補強部の端部と前記段差部との係合により構成されている。
【００１５】
この構成によれば、第３補強部相互の係合の結果、係合部の外表面が平坦に連続して形成されるので、上記請求項３の発明による作用に加え、バスダクトハウジング組立及び取扱作業中に作業者が誤って手等を怪我する虞れがなく作業の安全性が確保できる。
【００１６】
請求項４に係るバスダクトハウジングは、
一方の前記補強部の第１補強部の内側端部に係合凹部を形成し、他方の前記補強部の第１補強部の内側端部に前記接合状態で前記係合凹部に嵌合する係合突起を設けて係合部を形成している。
【００１７】
この構成により、上記バスダクトハウジングの機械的強度、導体収容部内への塵埃等の侵入の防止機能が更に向上する。
【００１８】
【発明の実施の形態】
以下、本発明によるバスダクトハウジングの第１の実施の形態を図１乃至図３によって説明する。
【００１９】
図１はバスダクト１の斜視図であり、バスダクト１は例えば断面矩形或いは隅丸矩形の平板形状でアルミニウム或いは銅等からなる電気導体１１をポリエステルシート等の電気絶縁層１２で被覆した絶縁被覆導体１３と、複数の絶縁被覆導体１３を積層して収容保持するバスダクトハウジング２０とを有している。
【００２０】
バスダクトハウジング２０は、同一断面形で相対向する一対のハウジング半体２１による２分割体によって形成される。
【００２１】
各ハウジング半体２１は、断面コ字形の収納凹部２２と、この収納凹部２２の開口部両端に沿って互いに離反するように延設される所定幅のフランジ部２３、２４及び各フランジ部２３、２４の外側端縁に沿って付加形成される補強部２５、２６を有している。
【００２２】
補強部２５、２６は、図２に図１のＡ−Ａ線断面を示すように、互いに接合するフランジ部２３、２４に互いに離反するように外方に延設する第１補強部２５ａ、２６ａと、第１補強部２５ａ、２６ａの外側端から互いに対峙するようにフランジ部２３、２４と略平行に延設される第２補強部２５ｂ、２６ｂと、第２補強部２５ｂ、２６ｂの端部に互いに近接するよう延設される第３補強部２５ｃ、２６ｃとからなる断面略Ｕ字状乃至コ字状であって、これら対向する補強部２５及び２６との共同によってバスダクトハウジング２０の両側縁に沿って一対の閉断面形状を形成するよう構成されている。
【００２３】
この補強部２５、２６の各第２補強部２５ｂ、２６ｂの外側端面２５ｂ′、２６ｂ′は前記収納凹部２２の外側面部２２′に対して少なくとも一部が面一に形成されている。
【００２４】
一方の補強部２５を形成する第３補強部２５ｃの内側端部には他方の補強部２６を形成する第３補強部２６ｃの内側端縁２７ａの板厚に相応する段差寸法を有して補強部２５、２６内に形成される階段状の段差部２７ｂを有し、これら内側端縁２７ａと段差部２７ｂとの係合により互いの第３補強部２５ｃ及び２６ｃの内側端部を連結する係合部２７を構成している。
【００２５】
そして、係合部２７の内側端縁２７ａと段差部２７ｂとを嵌合することにより互いに接合する第３補強部２５ｃと２６ｃとの外表面が平坦に連続し、かつ対向する両ハウジング半体２１の相対移動が規制されて両ハウジング半体２１の相対位置決めがなされる。
【００２６】
更に、バスダクトハウジング２０は、互いに対向するハウジング半体２１の接合するフランジ部２３及び２４を結合する結合手段２８を有している。結合手段２８は、図２に示すようにハウジング半体２１のフランジ部２３及び２４に予め各々形成されるボルト挿通孔２３ａ、２４ａにバネ座金２８ａ及び座金２８ｂを介して挿入するボルト２８ｃ及びボルト２８ｃに螺合するナット２８ｄによって両フランジ部２３、２４を締付け固定するよう構成されている。
【００２７】
この結合手段２８は、両ハウジング半体２１の第２補強部２５ｂ、２６ｂの外側端面２５ｂ′、２６ｂ′から突出しない範囲、即ち収納凹部２２の外側面部２２′と外側端面２５ｂ′、２６ｂ′を結ぶ仮想線２９から外方に突出しないよう構成されている。
【００２８】
次に、このように構成されるバスダクト１の組立作業について説明する。先ず、一方のハウジング半体２１に形成される収納凹部２２内に前記平板形状の電気導体１１を電気絶縁層１２で被覆した絶縁被覆導体１３を複数、本実施の形態では３層に積層する。
【００２９】
次に、一方のハウジング半体２１の収納凹部２２内に積層され、かつ収納凹部２２から突出する絶縁被覆導体１３を他方のハウジング半体２１の収納凹部２２内に収容するようハウジング半体２１を対向せしめ、対向する一対の収納凹部２２によって形成される導体収納部２０Ａ内に絶縁被覆導体１３を収容固定すると共に、結合部２７の内側端縁２７ａと段差部２７ｂとを嵌合することにより対向するハウジング半体２１の相対位置決めを行う。
【００３０】
そして、互いに対向するハウジング半体２１を係合位置決めした状態で各ハウジング半体２１のフランジ部２３、２４に予め各々形成されるボルト挿通孔２３ａ、２４ａにバネ座金２８ａ、座金２８ｂを介在して挿入するボルト２８ｃ及びボルト２８ｃに螺合するナット２８ｄによってフランジ部２３、２４を圧接せしめて固定する。
【００３１】
このように構成されるバスダクトハウジング２０によると、一対のハウジング半体２１を、その収納凹部２２の開口部側が対向するよう対向せしめてフランジ部２３と２４とを接合することにより係合部２７を構成する内側端縁２７ａと段差部２７ｂとが互いに係合して相対向するハウジング半体２１の相対移動が規制されて相対位置決めが自動的に行われ、かつ係合部２７がフランジ部２３、２４を介して収納凹部２２から離間して形成されることから組立にあたり導体収納部２０Ａ内に収容される絶縁被覆体１３の電気絶縁層１２を係合部２７によって噛み込むことが回避されて絶縁被覆体１３の損傷を招くことなく極めて効率的に組立てられる。
【００３２】
また、係合部２７の内側端縁２７ａと段差部２７ｂとを係合することにより互いに接合する第３補強部２５ｃと２６ｃとの外表面が平坦に連続して形成され、バスダクトハウジング２０の組立及び取扱作業中に作業者が誤って手等を怪我する虞れがなく作業の安全性が確保できる。
【００３３】
更に、接合する補強部２５、２６の内側端部が係合部２７によって一体的に連結され、かつ補強部２５、２６によってバスダクトハウジング２０の両側縁に沿って長手方向に伸びる閉断面形が形成されてバスダクトハウジング２０の機械的強度を確保すると共に、補強部２５、２６間を係合する係合部２７によって導体収容部２０Ａ内への塵埃等の侵入が防止される。
【００３４】
一方、補強部２５、２６の第２補強部２５ｂ、２６ｂの外側端面２５ｂ′、２６ｂ′と収納凹部２２の外側面部２２′とが面一に形成され、かつ結合手段２８が収納凹部２２の外側面部２２′と第２補強部２５ｂ、２６ｂの外側端面２５ｂ′、２６ｂ′とを結ぶ仮想線２９内に位置することと相俟って、特にバスダクト１を横配置した場合、例えば図３に示す如く床面Ｌ上に配設した場合バスダクト１の荷重が床面Ｌに接する収納凹部２２と両補強部２５及び２６によって分散支持される。
【００３５】
従って、絶縁被覆導体１３を収納する収納凹部２２の下方への湾曲変形が防止され、絶縁被覆導体１３、特に電気絶縁層１２の損傷が回避されると共に、地震等に起因する衝撃荷重による導体収納部２０Ａの上下振動など種々の事故誘発が防止できる。
【００３６】
更に、第２補強部２５ｂ、２６ｂの外側端面２５ｂ′、２６ｂ′と収納凹部２２の外側面部２２′とが面一であることからバスダクト１の占有空間の断面形状が略矩形となり、バスダクト１の梱包作業が極めて容易でかつ運搬、保管等に伴う積載に際して安定的に維持される。また対向するハウジング半体２１の断面形状が同一に形成することから製造及び保管等の管理が容易になりコスト低減が期待できる。
【００３７】
次に、本発明におけるバスダクトハウジングの第２実施の形態を図４によって説明する。
【００３８】
図４は本実施の形態によるバスダクトハウジングの要部断面を示し、図１乃至３と対応する部位に同一符号を付することで詳細な説明を省略するが、第１の実施の形態におけるバスダクトハウジング２０の強度を更に向上せしめるものである。
【００３９】
具体的には、一方の補強部２５の第１補強部２５ａ或いは他方の補強部２６の第１補強部２６ａの内側端部、例えば第１補強部２６ａの内側端部に係合凹部３０ａを形成し、かつ他方の第１補強部２５ａの内側端部に前記係合凹部３０ａに嵌合する係合突起３０ｂを形成して係合部３０を構成する。
【００４０】
このように構成することにより、第１の実施の形態におけるバスダクトハウジング２０に比較して補強部２５、２６の第３補強部２５ｃと２６ｃの内側端が互いに係合部２７によって係合され、更に補強部２５ａと２６ａの内側端部間が係合部３０によって相互に係合されてバスダクトハウジング２０の強度が更に増大してバスダクトの強度向上がより確実なものとなり、かつ導体収納部２０Ａ内への塵埃等の侵入防止がより確実に達成できる。
【００４１】
以上説明した各実施の形態では対向するハウジング半体２１のフランジ部２３及び２４に開口するボルト挿通孔２３ａ、２４ａに挿通するボルト２８ｃ及びナット２８ｄ等によって両ハウジング半体２１を結合してバスダクトハウジング２０を形成したが、ボルト挿通孔２３ａ、２４ａ等の穿設等の予備加工を省略して両ハウジング半体２１を結合することにより製造作業の効率化を図ることも可能である。
【００４２】
次に、この予備加工を不要とする結合手段を図５によって説明する。なお図５において図１と対応する部位に同一符号を付することで詳細な説明を省略するが、ここで使用するハウジング半体２１のフランジ部２３、２４にはボルト挿通孔の穿設等の予備加工は施されてない。
【００４３】
先ず、図５（Ａ）に示すように一対のハウジング半体２１を対向せしめ、対向する一対の収納凹部２２によって形成される導体収納部２０Ａ内に絶縁被覆導体（図示せず）を収容固定すると共に、係合部２７の内側端縁２７ａと段差部２７ｂとを係合してハウジング半体２１を相対位置決めする。
【００４４】
そして、重合するフランジ部２３、２４をリベット結合する。このリベット４１は図５（Ａ）に示すよう軸４１ａに中空部を有するチューブラリベットであり、リベッタでかしめることにより一方のフランジ部、例えばフランジ部２４を穿孔すると共に貫通し、押し広げられる軸４１ａの先端により他方のフランジ部２３を延出拡張せしめることによりかしめ結合する。
【００４５】
このリベット４１により結合されたバスダクトハウジング２０は図５（Ｂ）に断面を示すようにフランジ部２３、２４からの突出部が極めて少なく、かつ前記ボルト締めによる結合方法に比べてボルト挿通孔の穿設等の予備加工が不要になり、ボルト等の締付作業等が省略でき、作業の簡素化が得られしかも短時間で効率的に低コストで実行できる。
【００４６】
また、他の結合手段を図６によって説明する。なお図６と対応する部位に同一符号を付することで詳細な説明を省略する。
【００４７】
先ず、図６（Ａ）に示すようにハウジング半体２１を対向せしめ、導体収納部２０Ａ内に絶縁被覆導体（図示せず）を収容固定すると共に、内側端縁２７ａと段差部２７ｂとを係合して対向するハウジング半体２１の相対位置決めを行う。
【００４８】
続いて、互いに重合するフランジ部２３と２４を相対向する一対の電極４２によってクランプし、加圧した状態で電極４２間に通電して接合部にナゲット４３を形成して溶着するいわゆるスポット溶接により結合する。
【００４９】
スポット溶接によって結合されたバスダクトハウジング２０は図６（Ｂ）に要部断面を示すように、そのフランジ部２３、２４に突出部がなく、前記ボルト締めによる結合方法に比べ重量が軽減され、ボルト挿通孔の穿設等の予備加工が不要となり作業の簡素化が得られ、極めて短時間で効率的に低コストで実行できる。
【００５０】
また、これらリベット或いはスポット溶接による結合方法はバスダクトハウジングの組立完了後においても必要に応じて結合部を追加することが極めて容易に行える。
【００５１】
【発明の効果】
以上説明した本発明のバスダクトハウジングによれば、バスダクトハウジングの強度、バスダクトハウジング内への塵埃等の侵入防止及び作業の安全が確保できると共に製造が容易で製造コストの低減が得られる等本発明特有の効果を有する。
【図面の簡単な説明】
【図１】本発明の第１の実施の形態を説明するバスダクトの斜視図である。
【図２】図１のＡ−Ａ線断面図である。
【図３】バスダクトの使用状態を示す説明図である。
【図４】本発明の第２の実施の形態を示す要部断面図である。
【図５】本発明におけるバスダクトハウジングに用いられる結合手段の説明図であり、（Ａ）はリベットによる結合手段の説明図を示し、（Ｂ）はリベットによる結合手段によって結合されたバスダクトハウジングの要部断面図である。
【図６】本発明におけるバスダクトハウジングに用いられる結合手段の説明図であり、（Ａ）はスポット溶接による結合手段の説明図を示し、（Ｂ）はスポット溶接による結合手段によって結合されたバスダクトハウジングの要部断面図である。
【図７】従来のバスダクトハウジングを説明する斜視図である。
【符号の説明】
１  バスダクト
１３  絶縁被覆導体
２０  バスダクトハウジング
２０Ａ  導体収納部
２１  ハウジング半体
２２  収納凹部
２２′  外側面部
２３  フランジ部
２４  フランジ部
２５  補強部
２６  補強部
２８  結合手段
３０  結合手段
【図１】
0003557421.tif 000002
【図２】
0003557421.tif 000003
【図３】
0003557421.tif 000004
【図４】
0003557421.tif 000005
【図５】
0003557421.tif 000006
【図６】
0003557421.tif 000007
【図７】
0003557421.tif 000008